【事件の表示】
　特許第２９３８５７３号「多数の信号を受信することができるシステムにおける復調素子割当て方法」の請求項１ないし５９に係る特許に対する特許異議の申立てについて、次のとおり決定する。
【結　論】
　訂正を認める。
　特許第２９３８５７３号の請求項１ないし３６、３７ないし４１、４２ないし４５（申立時５４ないし５６、５８項）に係る特許を維持する。
　なお、申立時の請求項４２ないし５３，５７，５９は削除された。
【理　由】
１．手続きの経緯
　特許第２９３８５７３号の請求項１〜５９に係る発明についての出願は、平成６年１０月２８日に特許出願され、平成１１年６月１１日その特許について特許権の設定登録がなされ、その後、その特許について、異議申立人エヌ・ティ・ティ移動通信網株式会社より特許異議申し立てがなされ、取り消しの理由が通知され、その指定期間内である平成１３年１月２９日訂正請求（後日取り下げ）が為された後、再度の取り消し理由が通知され、その指定期間内である平成１３年９月１９日訂正請求がなされたものである。
　
２．訂正の適否について
（１）訂正事項
イ）請求項４２〜５３、５７，５９
　削除する。
ロ）請求項１
　「生成し」、「整合し」をそれぞれ「生成するステップと」、「整合するするステップと」と訂正する。
ハ）請求項３，４４（訂正前の請求項５６）
　「特定の復調素子を割り当てず」を「特定の復調素子の割り当てを解除し」と訂正する。
ニ）請求項６〜８
　「復調路に割当てられる」を「復調路に割当てられている」と訂正する。
ホ）請求項１３，１４，３０，３１
　「前記調査路のリストに前記復調路のリストを」を「前記復調路のリストを前記調査路のリストに」と訂正する。
へ）請求項１６，１７
　「信号の調査を行って、調査路のリストを生成する」を「信号を測定して、調査路のリストの電子的表示を生成する」と訂正する。
ト）請求項１９
　「前記整合しない復調路に対応した前記調査路のリスト中のエントリィを付加する」を「前記整合しない復調路に対応したエントリィを前記調査路のリスト中に付加する」と訂正する。
チ）請求項３６
　「信号の調査」を「信号の測定」と訂正する。
リ）請求項３７
　「生成し」、「比較し」をそれぞれ「生成するステップを含み」、「整合するステップを含み」と訂正する。
ヌ）請求項４２（訂正前の請求項５４）
　「前記特定のインスタンス」、「前記信号の前記第２の組のインスタンスからの前記信号の特定のインスタンス」をそれぞれ「前記信号の前記第２の組のインスタンスからの前記信号の特定のインスタンス」、「前記特定のインスタンス」と訂正する。
ル）請求項３９，４０，４３，４５
　引用する請求項の番号を変更する。
　
 （２）訂正の目的の適否、新規事項の有無および拡張・変更の存否
　上記訂正事項イ）は、請求項の削除であり、特許請求の範囲の減縮を目的とした明細書の訂正に該当し、新規事項の追加に該当せず、実質上特許請求の範囲を拡張し、又は変更するものではない。
　上記訂正事項ロ）、リ）は、いずれも「探索素子」「制御素子」等の具体的構成を明りょうとすると共に、「ステップ」という語を付加して、従属クレームとの整合性を明りょうとしたものであるから、明りょうでない記載の釈明を目的とした明細書の訂正に該当し、新規事項の追加に該当せず、実質上特許請求の範囲を拡張し、または変更するものではない。
　上記訂正事項ハ）は、特許明細書の「復調素子の”割り当てを解除（ｄｅ−ａｓｓｉｎｇ）”」（特許公報第９頁右欄第４１行〜第４２行）という記載や、請求項１４の「復調素子の割当てを解除」、請求項２３に「復調素子の割当てを解除」という記載との整合を図るものであるから、明りょうでない記載の釈明を目的とした明細書の訂正に該当し、新規事項の追加に該当せず、実質上特許請求の範囲を拡張し、又は変更するものではない。
　上記訂正事項ニ）は、特許明細書の「復調路は、復調素子に現在割り当てられている通路である。」（特許公報第１１頁左欄第１４行〜第１５行）という記載との整合を図るものであるから、明りょうでない記載の釈明を目的とした明細書の訂正に該当し、新規事項の追加に該当せず、実質上特許請求の範囲を拡張し、又は変更するものではない。
　上記訂正事項ホ）は、「前記調査路のリストに前記復調路のリストを」を「前記復調路のリストを前記調査路のリストに」という明りょうな記載にしたもので、明りょうでない記載の釈明を目的とした明細書の訂正に該当し、新規事項の追加に該当せず、実質上特許請求の範囲を拡張し、又は変更するものではない。
　上記訂正事項ヘ）は、「信号を調査し、調査路リストを生成する」という不明瞭な記載を「信号を測定して、調査路のリストの電子的表示を生成する」という具体的かつ明りょうな記載にしたもので、明りょうでない記載の釈明を目的とした明細書の訂正に該当し、新規事項の追加に該当せず、実質上特許請求の範囲を拡張し、又は変更するものではない。
  　上記訂正事項ト）は、特許明細書の「調査路に対応しない復調路が存在している場合、復調路情報に基づいた調査路エントリは調査路のリストに付加される。」（特許公報第７頁右欄第１５行〜第１７行）という記載との整合を図るものであるから、明りょうでない記載の釈明を目的とした明細書の訂正に該当し、新規事項の追加に該当せず、実質上特許請求の範囲を拡張し、又は変更するものではない。
　上記訂正事項チ）は、「信号を調査」という不明瞭な記載を「信号を測定」という明りょうな記載にしたもので、明りょうでない記載の釈明を目的とした明細書の訂正に該当し、新規事項の追加に該当せず、実質上特許請求の範囲を拡張し、又は変更するものではない。　
 　上記訂正事項ヌ）は、誤訳にともなう、明りょうでない記載の釈明を目的とした明細書の訂正に該当し、新規事項の追加に該当せず、実質上特許請求の範囲を拡張し、又は変更するものではない。　
　上記訂正箇所ル）は、請求項削除にともなう引用請求項の番号ずれを訂正するもので、新規事項の追加に該当せず、実質上特許請求の範囲を拡張し、又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議申立ての判断
（１）申立の理由の概要
　申立人エヌ・ティ・ティ移動通信網株式会社は、甲第１号証（特表平４−５０２８４４号公報）に記載された発明であるから、請求項１〜５９に係る発明は特許法第２９条第１項第３号により、請求項１〜５９に係る発明の特許は取り消されるべきものであり、請求項３，６〜８、１９，４３〜５０、５３，５６，５７に係る発明は特許法第３６条第５項及び第６項の規定に違反して特許されたものであるから請求項３，６〜８、１９，４３〜５０、５３，５６，５７に係る発明の特許は取り消されるべきものである旨主張している。
　
（２）訂正明細書の請求項１〜４６に係る発明
　訂正明細書の請求項１〜４６に係る発明は、その特許請求の範囲の請求項１〜４６に記載されたとおりのものである。
　
（３）特許法第２９条第１項第３号について
 イ）甲１号証記載の発明
　甲第１号証（特表平４−５０２８４４号公報）の第６頁左上欄第１７行〜左下欄第３行、第７頁左上欄第５行〜右上欄第１８行、第１０頁左上欄第１０行〜右上欄第７行、第１２頁右下欄第１行〜第１２行、及び第１図〜第２図の記載によれば、甲第１号証には、「ＣＤＭＡセル電話システムにおけるセル位置１２，１４から自動車ユニット１８への信号を処理する方法において、自動車ユニットの探索受信機４４を用いて、セル位置１２，１４からの多重パス信号を監視し、信号の存在、時間ドメインにおける位置および相対的な信号強度を決定し、種々の多重パスで受信された最も強いものを識別して自動車ユニット制御プロセッサにこの情報を提供し、自動車ユニット制御プロセッサを用いて、もっとも強いパス上で信号を追跡するようにデータ受信機に命令（例えば、単一セルモードからセル位置ダイバーシティモードに移行する際に、現在復調している単一のセル位置（αとする）からの２以上のパスを通過した信号（α１，α２…とし、信号強度はα１＞α２＞…とする）のうち、α１の復調を続け、新たなセル位置（βとする）からの２以上のパスを通過した信号（β１，β２…とし、信号強度はβ１＞β２…とする）の最も信号強度の多きい信号（β１）の復調を新たに行うように）する信号処理方法。」の発明（以下、「甲第１号証に記載の発明」という）が記載されている。
　
ロ）対比・判断
　訂正明細書の請求項１〜４６に係る発明（以下、「本件発明」という）と上記甲第１号証に記載の発明とを対比すると、甲第１号証に記載の発明は、訂正明細書の請求項１〜３６に係る発明を特定する事項である、「受信機によって復調されている信号に対応した到着時間、信号強度および送信機インデクスからなる復調路のリストを利用可能な信号を測定してそれぞれの到着時間、信号強度および送信機インデクスからなる調査路のリストに整合するステップ」、訂正明細書の請求項３７〜４１に係る発明を特定する事項である、「信号強度指標、時間指標および対応したソース指標を有する受信機に現在割当てられている信号のリストと信号強度指標、時間指標および対応したソース指標を有する既存の信号リストを比較するステップ」、訂正明細書の請求項４２〜４６に係る発明を特定する事項である、「１組の復調素子が復調する第１の組のインスタンスを１組の調査路を介して装置に到着した信号の第２の組のインスタンスと整合する制御システム」を備えておらず、本件発明が上記甲第１号証に記載のものとはいえない。
　
 （４）特許法第３６条第５項及び第６項について
　特許法第３６条第５項及び第６項違反に関する特許異議の申立ての理由は、当審が平成１２年７月１２日付け取り消し理由通知書で指摘した内容と同じであり、訂正前の該当する請求項３、６〜８，１９，４３〜５０，５３，５６，５７に対して次のような平成１３年９月１９日付けの訂正請求がなされたので解消している。
　
イ）請求項３，６〜８、５６の訂正
　請求項３の「特定の復調素子を割当てず」を「特定の復調素子の割当てを解除し」と訂正し、請求項６〜８の「復調路に割当てられる」を「復調路に割当てられている」と訂正したので、請求項３，６〜８が、復調路に割当てられている特定の復調素子の割り当てを解除してその特定の復調素子を特定の調査路に割当てることを意味していることが明りょうになった。
　同様に、請求項５６の「特定の復調素子を割当てず」も「特定の復調素子の割り当てを解除し」と訂正したので、請求項５６が特定の復調素子の割り当てを解除してその特定の復調素子を特定のインスタンスに割当てることが明りょうになった。
ロ）請求項１９の訂正
　「前記整合しない復調路に対応した前記調査路のリスト中のエントリィを付加する」を「前記整合しない復調路に対応したエントリィを前記調査路のリスト中に付加する」と訂正したので、その意味が明りょうになった。
ハ）請求項４２〜５０、５３，５７の削除
　
４．むすび
　以上のとおりであるから、特許異議申立ての理由及び証拠によっては、本件請求項１〜３６、３７〜４１、４２〜４５（訂正前５４〜５６，５８項）に係る発明の特許を取り消すことはできない。
　また、他に本件請求項１〜３６、３７〜４１、４２〜４５（訂正前５４〜５６，５８項）に係る特許を取り消すべき理由を発見しない。
　よって、結論とおり決定する。
【異議決定日】
平成１３年１２月２０日（２００１．１２．２０）
【訂正の要旨】
訂正の要旨
訂正事項イ
　特許請求の範囲を減縮する目的で、請求項４２・５３、５７，５９を削除する。
訂正事項ロ
　明りょうでない記載の釈明を目的として、請求項１の「生成し」、「整合し」をそれぞれ「生成するステップと」、「整合するするステップと」と訂正する。
訂正事項ハ
　明りょうでない記載の釈明を目的として、請求項３，４４（訂正前の請求項５６）「特定の復調素子を割り当てず」を「特定の復調素子の割り当てを解除し」と訂正する。
訂正事項ニ
　明りょうでない記載の釈明を目的として、請求項６・８の「復調路に割当てられる」を「復調路に割当てられている」と訂正する。
訂正事項ホ
　明りょうでない記載の釈明を目的として、請求項１３，１４，３０，３１の「前記調査路のリストに前記復調路のリストを」を「前記復調路のリストを前記調査路のリストに」と訂正する。
訂正事項へ
　明りょうでない記載の釈明を目的として、請求項１６，１７の「信号の調査を行って、調査路のリストを生成する」を「信号を測定して、調査路のリストの電子的表示を生成する」と訂正する。
訂正事項ト
　明りょうでない記載の釈明を目的として、請求項１９の「前記整合しない復調路に対応した前記調査路のリスト中のエントリィを付加する」を「前記整合しない復調路に対応したエントリィを前記調査路のリスト中に付加する」と訂正する。
訂正事項チ
　明りょうでない記載の釈明を目的として、請求項３６の「信号の調査」を「信号の測定」と訂正する。
訂正事項リ
　明りょうでない記載の釈明を目的として、請求項３７の「生成し」、「比較し」をそれぞれ「生成するステップを含み」、「整合するステップを含み」と訂正する。
訂正事項ヌ
　明りょうでない記載の釈明を目的として、請求項４２（訂正前の請求項５４）の「前記特定のインスタンス」、「前記信号の前記第２の組のインスタンスからの前記信号の特定のインスタンス」をそれぞれ「前記信号の前記第２の組のインスタンスからの前記信号の特定のインスタンス」、「前記特定のインスタンス」と訂正する。
訂正事項ル
　訂正事項イで請求項削除のため、誤記の訂正として、請求項３９，４０，４３，４５引用する請求項の番号を訂正する。
（５４）【発明の名称】
多数の信号を受信することができるシステムにおける復調素子割当て方法
【発明の詳細な説明】
　発明の背景
Ｉ．発明の分野
　本発明は通信システムに関し、特に多数の信号を受信することができる通信システムの復調素子割当て方法に関する。
ＩＩ．関連技術の説明
　符号分割多重アクセス（ＣＤＭＡ）セル電話システムにおいて、共通の周波数帯域はシステム中の全てのベースステーションとの通信のために使用される。共通の周波数帯域は、モービルステーションと１以上のベースステーションとの間の同時的な通信を可能にする。共通の周波数帯域を占有する信号は、高速疑似雑音（ＰＮ）コードの使用に基づいて拡散スペクトルＣＤＭＡ波形特性を通して受信ステーションで弁別される。高速ＰＮコードは、ベースステーションおよびモービルステーションから送信された信号を変調するために使用される。異なるＰＮコードまたは時間的にオフセットされたＰＮコードを使用する送信ステーションは、受信ステーションで別々に受信されることができる信号を生成する。高速ＰＮ変調はまた受信ステーションが信号送信ステーションから信号を受信することを可能にし、この場合信号はいくつかの異なる伝播路を介して進行する。
　いくつかの異なる伝播路を進行する信号は、セルチャンネルの多通路特性によって発生される。多通路チャンネルの１つの特性は、チャンネルを通って伝送された信号において導入される時間的な拡散である。例えば、理想的なパルスが多通路チャンネルにわたって伝送された場合、受信された信号はパルス流として現れる。多通路チャンネルの別の特性は、チャンネルを通る各通路が異なる減衰係数を生じさせる可能性があることである。例えば、理想的なパルスが多通路チャンネルを介して伝送された場合、受信されたパルス流の各パルスは一般に他の受信されたパルスとは異なる信号強度を有する。多通路チャンネルのさらに別の特性は、チャンネルを通る各通路が信号に異なる位相を生じさせることである。例えば、理想的なパルスが多通路チャンネルにわたって送信された場合、受信されたパルス流の各パルスは一般に他の受信されたパルスと異なる位相を有する。
　モービル無線チャンネルにおいて、多通路はビルディング、樹木、車および人等の障害物からの信号の反射によって生成される。一般に、モービル無線チャンネルは、多通路を生成する構造物の相対運動により時間的に変化する多通路チャンネルである。例えば、理想的なパルスが時間的に変化する多通路チャンネルを介して送信された場合、受信されたパルス流は、理想的なパルスが送信された時間の関数として時間的な位置、減衰率および位相において変化する。
　チャンネルの多通路特性は、結果的に信号のフェーディングを生じさせる可能性が高い。フェーディングは、多通路チャンネルの位相（ｐｈａｓｉｎｇ）特性の結果である。フェードは、多通路ベクトルが破壊的に加算されて、個々のベクトルのいずれかより小さい受信信号を生成したときに発生する。例えば、正弦波が第１の通路がＸｄＢの減衰係数およびθラジアンの位相シフトを持つδの時間遅延を有し、第２の通路がＸｄＢの減衰係数およびθ＋πラジアンの位相シフトを持つδの時間遅延を有する２つの通路を有する多通路チャンネルを通って伝送された場合、チャンネルの出力で受信される信号はない。
　通常の無線電話システムによって使用されるアナログＦＭ変調等の狭帯域の変調システムにおいて、無線チャンネルにおける多通路の存在は、結果的に深刻な多通路フェーディングを生じさせる。しかしながら、広帯域ＣＤＭＡに関して上述されたように、異なる通路は復調プロセスにおいて弁別される。この弁別は、多通路フェーディングの深刻な問題を大幅に軽減するだけでなく、ＣＤＭＡシステムに対して利点を提供する。
　フェーディングの悪影響は、ＣＤＭＡシステムにおいて送信電力を制御することによって軽減されることができる。ベースステーションおよびモービルステーションの電力制御用のシステムは、本発明の出願人に譲渡された米国特許第５，０５６，１０９号明細書（１９９１年１０月８日）に記載されている。さらに、多通路フェーディングの影響は、ソフトハンドオフ
（ｓｏｆｔ　ｈａｎｄｏｆｆ）プロセスを使用して多数のベースステーションとの通信において減少されることができる。ハンドオフプロセスは、本発明の出願人に譲渡された米国特許第５，１０１，５０１号明細書（１９９１年１０月８日）に記載されている。
　セル電話システムにおいて、処理可能な同時的な電話の呼びの数に関してシステム容量を最大化することは非常に重要である。拡散スペクトルシステムのシステム容量は、各送信された信号が同じレベルでベースステーション受信機に到着するように各モービルステーションの送信機電力が制御された場合に最大化される。実際のシステムにおいて、各モービルステーションは、許容可能なデータ回復を可能にする信号対雑音比を生成する最小の信号レベルを送信する。モービルステーションによって送信された信号が低過ぎる電力レベルでベースステーション受信機に到着した場合、ビット対エラー率は高過ぎて、別のモービルステーションからの干渉のために高品質の通信を行うことができない。他方において、モービルステーション送信信号が、ベースステーションで受信されたときに非常に高い電力レベルである場合、特定のモービルステーションとの通信は許容可能であるが、この高い電力信号は、他のモービルステーションに対する干渉として作用する。この干渉は、別のモービルステーションとの通信に悪影響を与える可能性がある。
　したがって、例示的なＣＤＭＡ拡散スペクトルシステムの容量を最大にするために、ベースステーションのカバレージ領域内の各モービルステーションの送信電力は、ベースステーションで同じ公称受信信号電力を生成するようにベースステーションによって制御される。理想的な場合では、ベースステーションで受信された合計信号電力は、ベースステーションのカバレージ領域内において送信しているモービルステーションの数により乗算された各モービルステーションから受信される公称電力プラス隣接したベースステーションのカバレージ領域においてモービルステーションからベースステーションで受信された電力に等しい。
　モービル無線チャンネルにおける通路損失は、２つの別個の現象：平均通路損失およびフェーディングによって特徴付けられることができる。ベースステーションからモービルステーションヘの順方向リンクは、モービルステーションからべースステーションヘの逆方向リンクとは異なる周波数で動作する。しかしながら、順方向リンクおよび逆方向リンク周波数は同じ周波数帯域内にあるため、２つのリンクの平均通路損失間の相関は顕著である。他方において、フェーディングは順方向リンクおよび逆方向リンクに対して独立した現象であり、時間の関数として変化する。
　例示的なＣＤＭＡシステムにおいて、各モービルステーションは、モービルステーションヘの入力における合計電力に基づいて順方向リンクの通路損失を評価する。合計電力は、モービルステーションによって認識された同じ周波数割当てで動作している全てのベースステーションからの電力の和である。時間にわたって平均された順方向リンクの通路損失の評価から、モービルステーションは逆方向リンクの信号の送信レベルを設定する。１つのモービルステーションに対する逆方向リンクのチャンネルが同じモービルステーションに対する順方向リンクのチャンネルに比較して突然改善された場合、このモービルステーションからベースステーションで受信された信号は電力が増加する。この電力の増加は、同じ周波数割当てを共有する全ての信号に対する付加的な干渉を生じさせる。したがって、モービルステーション送信電力のチャンネルにおける突然の改善に対する迅速な応答は、システム特性を改善する。
　モービルステーションの送信電力はまた１以上のベースステーションによって制御される。モービル装置が通信している各ベースステーションは、モービル装置から受信された信号の強度を測定する。測定された信号強度は、その特定のモービルステーションに対して所望の信号強度レベルと比較される。電力調節命令は、各ベースステーションによって発生され、順方向リンクでモービル装置に送られる。ベースステーション電力調節命令に応答して、モービル装置は予め定められた量だけモービル装置送信電力を増加または減少する。この方法によって、チャンネルの変化に対する迅速な応答が行われ、平均システム特性が改善される。
　モービルステーションが１以上のベースステーションと通信している場合、電力調節命令は各ベースステーションから提供される。モービルステーションは他のモービルステーションの通信に悪影響するように干渉する可能性のある送信電力レベルを回避し、さらにモービルステーションから少なくとも１つのべーススステーションヘの通信を支持するために十分な電力を供給するようにこれら多数のベースステーション電力制御命令で動作する。この電力制御機構は、モービルステーションが通信している全てのベースステーションが電力レベルの増加を要求した場合にのみ、モービルステーションにその送信信号レベルを増加させることによって達成される。モービルステーションは、モービルステーションが通信している任意のベースステーションが電力の減少を要求した場合にその送信信号レベルを低下させる。
　多通路の存在は、広帯域拡散スペクトルシステムに通路ダイバーシティを生じさせる。拡散スペクトルシステムは、疑似雑音（ＰＮ）コードにより情報信号を変調することによって拡散情報信号を発生させる。一般に、ＰＮコードは情報信号の速度で何回もラン（ｒｕｎ）する。ＰＮコードが発生される速度をチップ速度と呼び、ＰＮコードの１データビットの期間をチップ時間と呼ぶ。２以上の通路がチップ時間より大きい通路遅延の差により利用可能である場合、復調素子と呼ばれる２以上の処理素子はこれらの信号を別々に復調するために使用されることができる。これらの信号は、典型的に多通路フェーディングにおいて独立性を示す。すなわち、それらは通常一緒にはフェードしない。したがって、２以上の復調素子の出力は通路ダイバーシティを得るために組合せられることができる。信号の損失は、全ての復調素子からの信号が同時にフェードした場合にのみ発生する。理想的なシステムにおいて、ベースステーションおよびモービルステーションの両者は、多数の復調素子を使用する。
　モービルステーションが物理的な環境を通って移動すると、信号通路の数およびこれらの通路上の信号の強度は、モービルステーションにおいて受信されたときおよびベースステーションにおいて受信されたときに一定して変化する。したがって、本発明を含む受信機は、時間領域でチャンネルを連続的に走査する探索素子と呼ばれる特別な処理素子を使用して、多通路環境における信号の存在、時間オフセットおよび信号強度を決定する。探索素子の出力は、復調素子が最も有効な通路を追跡することを確実にするための情報を提供する。本発明は、探索素子情報に基づいて多数の受信された信号に多数の復調素子を割当てる方法を提供する。
　例示的なＣＤＭＡセル電話システムにおいて、各ベースステーションは拡散スペクトル“パイロット”基準信号を送信する。このパイロット信号は、初期システム同期を獲得して、ベースステーション送信信号の大体の時間、周波数を提供し、また位相追跡を行うためにモービルステーションによって使用される。システムにおいて各ベースステーションによって送信されるパイロット信号は、同じＰＮコードであるが異なるコード位相オフセットを有するものを使用し、これは隣接したベースステーションによって送信されたＰＮコードが互いに関して同一であるが、時間的に非同期である（ｓｋｅｗ）ことを意味する。位相オフセットは、パイロット信号が生じたベースステーションに応じてそれらが互いに区別されることを可能にする。モービルステーションの探索素子は、呼び不活性モードの間に隣接したベースステーションの送信パイロット信号に対応したコードオフセットで受信された信号を連続的に走査する。呼びが開始されたとき、ＰＮコードアドレスがこの呼び期間中の使用のために決定される。コードアドレスはベースステーションによって割当てられるか、或はモービルステーションの識別子に基づいたプレアレンジメント
（ｐｒｅａｒｒａｎｇｅｍｅｎｔ）によって決定されるかのいずれかである。呼びが開始された後、モービルステーションの探索素子は隣接したベースステーションによって送信されたパイロット信号を連続的に走査する。隣接したベースステーションによって送信されたパイロット信号が通信を設定するのに十分に強くなったとき、モービルステーションは制御メッセージを発生して、現在呼びをサービスしているベースステーションに送信する。現在のベースステーションは、セルシステム制御装置に制御メッセージを提供する。
　セルシステム制御装置は、べースステーションダイバーシティまたはいわゆる“ソフトハンドオフ”プロセスを開始する。セルシステム制御装置は、新しいベースステーションに配置されたモデムをその呼びに割当てることによって始まる。このモデムは、モービルステーションと現在のベースステーションモデムとの間に呼びと関連したＰＮアドレスを与えられている。呼びをサービスするために割当てられた新しいベースステーションモデムは、モービルステーション送信信号を探索して発見する。新しいベースステーションモデムはまたモービルステーションに順方向のリンク信号を送信し始める。モービルステーションの探索素子は、古いベースステーションによって提供された信号情報にしたがってこの順方向リンク信号を探索する。モービルステーションが新しいベースステーションモデム送信信号を獲得したとき、モービルステーションは２つのベースステーションを通って連続的に通信する。別のベースステーションは、上記の第１の新しいベースステーションと同じ方法で付加されることができる。この場合、モービルステーションは３つのベースステーションを通って連続的に通信する。このプロセスは、モービルステーションがそれが含んでいる以上の各復調素子に対して１つのベースステーションと通信するまで連続することができる。　モービルステーションにおけるダイバーシティの組合せは、セル電話システムにおける通信の品質および信頼性を著しく進歩させる。ある形態の最大の比の組合せは、信号対雑音比が各通路に対して決定される利点を増大するために使用される。その後、各通路は信号対雑音比にしたがって加重された別の通路からの影響力と組合せられる。組合せは、パイロット信号の復調により各通路の位相が決定されることができるためコヒーレントである。
　モービルステーションからベースステーションまでの通路において、通路ダイバーシティ受信は類似した方法で行われる。ベースステーションは、探索素子が複数の復調素子を割当てるべきデータを提供することにおいてモービルステーションと類似する組の処理素子を含んでいてもよい。本発明は、ベースステーションにおいて多通路信号に復調素子を割当てる方法を限定する。
　末端利用者との通信中、ベースステーションの復調されたデータ信号は、信号品質の指標と共にセルシステム制御装置に送られる。セルシステム制御装置は、末端利用者にこれらの信号を中継する。モービルステーションが２つの独立したベースステーションによりべースステーションダイバーシティモードである場合、両ベースステーションの復調されたデータ信号は、信号品質の指標と共にセルシステム制御装置に送られる。その後、セルシステム制御装置は２つの形態のモービルステーション信号を結合するか、或は最良品質指標を有する信号を選択する。別のシステム構造は、良好なダイバーシティ組合せプロセスが使用されることを可能にするために、セルシステム制御装置に復号化されていない信号を送信し、或は復調されていない信号さえ送信する。
　典型的なベースステーション構造は、多数のセクタを含んでいてもよい。多数のセクタに区分されたベースステーションは、多数の独立した送信および受信アンテナを含んでいる。モービルステーションがべースステーションダイバーシティモードであり、同じベースステーションの２つのセクタと通信している場合、両セクタの復調されたデータ信号は、信号がセルシステム制御装置に送られる前に、ベースステーション内における組合せのために利用可能である。事実、多数のセクタに区分されたベースステーション内において、システムは、各復調素子が信号の受信されたセクタにかかわらず任意の到着信号に割当てられるように構成されてもよい。このシステム構造はよりソフトなハンドオフと呼ばれるプロセスを可能にし、本発明はこの構造に対して復調素子を割当てる方法を限定する。
　したがって、本発明の目的はモービルステーションにおいて多数の復調素子を割当てる方法を提供することである。
　本発明の別の目的はベースステーションにおいて多数の復調素子を割当てる方法を提供することである。
　発明の要約
　本発明は、拡散スペクトルシステムにおいて多数の復調素子を割当てる方法を定める。モービルステーション内の本発明において、探索素子は、活動的な通信が設定される各ベースステーションの各信号の公称到着時間の近傍で時間オフセットのウインドウを走査する調査（ｓｕｒｖｅｙ）を実行する。各調査は、パイロット信号強度、時間オフセットおよび対応したべースステーションパイロットオフセットを含む調査路のリストを生成する。探索素子は制御装置に情報を送る。制御装置は、復調素子によって現在復調されている通路の時間オフセットに各調査路の時間オフセットを整合させようとする。１つの調査路に整合する多数の復調路が存在している場合、最も強い信号強度指示を有する復調素子を除き、その通路に割当てられた全ての復調素子は“フリー”とラベル付けされる。調査路に対応しない復調路が存在している場合、復調路情報に基づいた調査路エントリィは調査路のリストに付加される。
　次に、制御装置は信号強度順に調査路を考慮し、最も強い信号強度の調査路が最初である。考慮されている調査路の対応したセクタ中の任意の通路に割当てられる復調素子がない場合、制御装置は次の順番の調査路に復調素子を割当てようとする。割当てられていない、または“フリー”とラベル付けされた復調素子が存在している場合、その復調素子は調査路に割当てられる。フリーの復調素子がない場合、そのベースステーションのセクタからの唯一の復調路ではない最も弱い通路を有する復調素子は、もし存在するならば、調査路に再度割当てられる。最後に、最初の２つの場合が調査路に復調素子を割当てない場合、最も弱い通路に割当てられた復調素子は、信号強度が最も弱い復調路の信号強度より強ければ調査路に再度割当てられる。このプロセスは、再割当てが１度発生するまで、或は最後の基準が検討されている調査路に復調素子を再度割当てることができなくなるまで連続する。　上記のルールのいずれも現在の調査に対して復調素子を再度割当てない場合、制御装置は、最も強い信号強度の調査路が最初である信号強度順に調査路を再度考慮する。調査路が復調素子に現在割当てられていない場合、制御装置は割当てられていない、または“フリー”とラベル付けされた復調素子を考慮されている調査路に割当ててもよい。割当てられていない、または“フリー”とラベル付けされた復調素子がない場合、制御装置はまた調査路が復調路より強ければ、調査路として同じベースステーションセクタに割当てられた復調素子を再度割当ててもよい。制御装置はまた調査路が復調路より強ければ、２以上の割当てられた復調素子を有する任意のベースステーションセクタに対して割当てられた最も弱い復調素子を再度割当ててもよい。上記の２つのルールのいずれかが一度再割当てを行うか、或は上記の再割当てに対する両ルールが考慮されている調査路に対して失敗すると、プロセスが再び始まる。
　本発明は、ベースステーションおよびセクタダイバーシティを確実にするためにこれらのステップを使用する。復調素子が再度割当てられる度に、データが復調されない有限時間が経過する。したがって、本発明は１調査当りの復調素子再割当ての数を制限する。比較率は、割当てのヒステリシスを生成して、復調素子の過剰な再割当てを減少するために使用される。
　ベースステーションは、類似しているがより簡単な復調素子割当て方法を使用する。各ベースステーションセクタは単一のモービルステーションから同じ情報を受信するため、ダイバーシティを促進するために最大信号レベルの通路を犠牲にする必要はない。したがって、ベースステーション方法はさらに厳密に信号レベルに基づき、一方でモービルステーション方法と同様に１調査当りの割当て数を制限する。ベースステーションはまた復調素子の過剰な再割当てを減少するためのヒステリシスを生成するためにモービルステーションに類似した比率を使用する。
　図面の簡単な説明
　本発明の特徴、目的および利点は、以下の詳細な説明および同じ参照符号が一貫して対応している添付図面からさらに明らかになるであろう。
　図１は、多数の独立した復調素子を含む一例のモービルステーションの図である。
　図２は、図１の例示的モービルステーションの復調素子の詳細なブロック図である。
　図３Ａ乃至３Ｃは、３つの異なるベースステーションまたはベースステーションセクタに対するパイロット信号強度対時間を示す。
　図４は、本発明によるモービルステーションに対する復調素子割当て方法の要約図である。
　図５Ａ乃至５Ｄは、本発明によるモービルステーションに対する復調素子割当て方法の詳細な例である。
　図６は、多数の独立した復調素子を含む例示的なベースステーションの図である。
　図７は、図６の例示的なベースステーションの復調素子の詳細なブロック図である。
　図８は、本発明によるベースステーションに対する復調素子割当て方法の概略図である。
　図９Ａ乃至９Ｄは、本発明によるベースステーションに対する復調素子割当て方法の詳細な例である。
　図１０Ａおよび１０Ｂは、２つの異なるベースステーションセクタに対する単一のモービルステーションの信号強度対時間を示す。
　好ましい実施例の詳細な説明
　本発明は、拡散スペクトルシステムにおける多数の復調素子を割当てる方法を定める。ここにおいて、２つの方法が開発され、１つはベースステーション動作に関するものであり、１つはモービルステーション動作に関するものである。両アルゴリズムは、本発明の一般的な原理を示す特定の構造を与えることによって生成される。
　モービルステーションによって使用される方法は、モービルステーションが多数の独立した復調素子を含むと仮定している。図１は、このようなモービルステーションの１実施例を示す。素子は、相互接続部２１２を通って制御装置２００によって制御される。モービルステーションによって受信された入力信号２１０は、ＲＦ／アナログ処理され、探索素子２０２および復調素子２０４Ａ乃至２０４Ｎに供給される。探索素子２０２は時間領域を連続的に走査し、ベースステーションの近くからパイロット信号を探索する。探索素子２０２はまた発生した多通路信号を探索して各ベースステーションからの信号の公称到着時間の近傍で１組の時間オフセットを走査する。
　探索素子２０２は、制御装置２００に生成されたデータを送る。探索素子２０２は、相互接続部２１２を通ってデータを送信してもよい。その代りとして、探索素子２１２は直接メモリアクセスを通って制御装置２００にデータを送信してもよい。直接メモリアクセスは、探索素子２０２が制御装置の機能を中断せずに制御装置メモリ２１８に情報を直接的に転送することを可能にする。直接メモリアクセス動作は、制御装置２００内において探索素子２１２からメモリ２１８に直接接続された破線のデータライン２１６によって示されている。制御装置２００は、入力信号２１０に含まれてもよい複数の情報信号の１つに復調素子２０４Ａ乃至２０４Ｎを割当てるためにメモリ２１８に記憶されたデータを使用する。
　復調素子２０４Ａ乃至２０４Ｎは入力信号２１０を処理して、シンボル結合器２０８において組合せられるソフト決定データビット２２０Ａ乃至２２０Ｎを生成する。シンボル結合器２０８の出力（示されていない）は、ビタビ（Ｖｉｔｅｒｂｉ）復号に適した集合ソフト決定データである。復調素子２０４Ａ乃至２０４Ｎはまた割当てプロセスで使用される相互接続部２１２を通って制御装置２００にいくつかの出力制御信号を供給する。
　各復調素子２０４Ａ乃至２０４Ｎは、構造が他のものに非常に類似している。図２は、図１の例示的な復調素子２０４をさらに詳細に示す。図２において、入力信号２１０は同位相（Ｉ）および直角位相（Ｑ）の信号サンプルを有する直角位相偏移変調（ＱＰＳＫ）信号であると仮定される。多ビット値をそれぞれ有するＩおよびＱ信号サンプルは、ＱＰＳＫデスプレッダ２３０および２５０に入力される。
　ＱＰＳＫデスプレッダ２３０はまたパイロットＰＮシーケンス発生器２３２からパイロットＰＮシーケンスＰＮＩおよび
ＰＮＱを受信する。パイロットＰＮシーケンス発生器２３２は、図１の制御装置２００から供給されるシーケンスタイミングおよび状態入力（示されていない）にしたがってベースステーションにおいて使用されたものと同じＰＮシーケンスＰＮＩおよびＰＮＱを発生する。ＱＰＳＫデスプレッダ２３０はＩおよびＱ原信号サンプル上のＰＮ拡散を除去して、露出された（ｕｎｃｏｖｅｒｅｄ）ＩおよびＱ成分サンプルを抽出する。
　露出されたＩおよびＱ成分サンプルは、ＱＰＳＫデスプレッダ２３０からデジタルフィルタ２３４および２３６にそれぞれ出力される。フィルタ２３４および２３６は、典型的に簡単な第１のオーダーのローパスデジタルフィルタとして構成されている。フィルタ２３４および２３６から出力されたフィルタ処理されたＩおよびＱ成分サンプルは、パイロット信号のＩおよびＱ成分のサンプルであり、パイロットＩおよびパイロットＱサンプルと呼ぶ。パイロットＩおよびパイロットＱサンプルは、データスケールおよび位相回転装置２３８、ロック指示装置２５８およびベクトル積装置２５６に供給される。
　この例において考慮されている変調方式において、パイロット信号は全てゼロのウォルシュ（Ｗａｌｓｈ）コードを使用する。全てゼロのウォルシュコードを使用する時、ＰＮ拡散パイロット信号は、ＩおよびＱ　ＰＮ拡散シーケンス自身と同じものである。したがって、ＩおよびＱ信号サンプル上で拡散しているＰＮを除去し、その結果をフィルタ処理することによって、パイロット信号が再生される。
　データを再生するために、露出されたＩおよびＱ成分サンプルはまたＱＰＳＫデスプレッダ２３０から出力され、デジタルミキサ２４０および２４２にそれぞれ出力される。デジタルミキサ２４０および２４２は、ウォルシュシーケンス発生器２４４からウォルシュシーケンスを受取る。このウォルシュシーケンスは、ベースステーション中のこのチャンネルに割当てられたウォルシュシーケンスと同じであり、制御装置２００（示されていない）からのシーケンス割当て入力にしたがって選択される。
　露出され、復号化されたＩおよびＱ成分サンプルはデジタルミキサ２４０および２４２から出力され、これらミキサにおいてそれらは累算器２４６および２４８に供給される。累算器２４６および２４８は、シンボル時間にわたって露出され、復号化されたＩおよびＱ成分サンプルをそれぞれ累算する。累算器
２４６および２４８からの出力は、データＩおよびデータＱサンプルと呼ばれるシンボルデータＩおよびＱである。データＩおよびデータＱサンプルは、データスケールおよび位相回転装置２３８に供給される。累算器２４６および２４８はデータを出力するのに続いて消去またはリセットされ、次の組のサンプルを累算する。
　データスケールおよび位相回転装置２３８は、フィルタ２３４および２３６からのパイロットＩおよびパイロットＱ並びに累算器２４６および２４８からのデータＩおよびデータＱ上についてドット積動作を実行する。パイロットと同位相であるデータベクトルの成分の大きさを発見するために、データＩおよびデータＱサンプルのドット積
Ｄ
Ｐ
　先入れ先出し（ＦＩＦＯ）記憶レジスタ２６０はデスキュー（ｄｅ−ｓｋｅｗ）機能を実行する。デスキュー機能は、データが他の復調素子からのデータと整列することができるように特定の復調素子からデータ２２０の出力を遅延する。例えば図１を再度参照して、復調素子２０４Ａが第１のベースステーションからモービルステーションまでの直通路を取ったデータを復調していると仮定する。さらに、復調素子２０４Ｂは、やはり第１のベースステーションからの多通路信号を復調していると仮定する。多通路信号はモービルステーションヘの間接的なルートを取っており、したがって直通路に比較して遅延される。シンボル結合器２０８において２つのデータ路を組合せるために、復調素子２０４Ａの出力は遅延され、復調素子２０４Ｂの出力に整列されなければならない。ＦＩＦＯ２６０Ａは、復調素子２０４Ｂの出力と一致するように復調素子２０４Ａからのデータの出力を遅延する。復調素子２４０Ｃ（示されていない）は、モービルステーションから非常に遠くに配置された第２のベースステーションからの信号を復調しており、したがって第１のベースステーションからの間接的な通路信号より大きい遅延を示すと仮定する。復調素子２０４Ａおよび２０４Ｂの出力は、シンボル結合器２０８の信号入力が時間整列されるように、ＦＩＦＯ２６０ＡおよびＦＩＦＯ２６０Ｂによってそれぞれ遅延されなければならない。
　復調素子２０４は、復調路受信信号強度指示信号（ＲＳＳＩ）２６２および制御装置へのロック／非ロック信号２６４を生成する。エネルギ累算器およびロック検出器２５８は、パイロットＩおよびパイロットＱサンプルの平均信号強度を計算する。復調路ＲＳＳＩ２６２は、計算されたパイロット信号強度の値を示す。ロック指示装置２５８は、計算されたパイロット信号強度値をしきい値と比較する。この強度値がしきい値を越えた場合、復調素子はロックされている。計算されたパイロット信号強度値がしきい値より下である場合、復調素子はロックされていない。復調素子がロックされていない場合、データ出力２２０は低い信号レベルのために雑音により劣化される可能性がある。制御装置は、ロックされていない指示信号を使用して、データ出力２２０が集合結果を計算するために使用されないようにそれを無効と示す。ロック機能は、ロックしきい値を越えると、信号強度が第２の低いしきい値より下になるまで、復調素子がロックされていない状態を示さないようにヒステリシスを有するように設計されてもよい。制御装置は、復調素子がアイドル状態になるように、ロックされていない復調素子の“割当てを解除（ｄｅ−ａｓｓｉｇｎ）”してもよい。その代りとして、制御装置は、復調素子に“フリー”とラベル付けして、復調素子が再割当ての候補であることを示し、一方においてロックされていない状態からの復帰が可能であるように信号を復調することを試みる活動状態に復調素子を置いておいてもよい。
　各復調素子は、搬送波周波数エラーの評価を行う。ベクトル積装置２５６は、シンボル間のパイロット位相の変化を測定することによって周波数エラー評価２６８を生成する。ベクトル積装置２５６は、パイロットＩおよびパイロットＱサンプルからなる現在のパイロットベクトルの初期のパイロットベクトルに対する交差（ｃｒｏｓｓ）積を計算する。周波数エラー評価は、搬送波追跡ループ（示されていない）において使用される。
　復調素子２０４は、それが復調している信号の時間ドリフトを追跡する。ＩおよびＱ信号サンプルを有する入力信号２１０は、ＱＰＳＫデスプレッダ２５０に入力される。ＱＰＳＫデスプレッダ２５０はまたパイロットＰＮシーケンス発生器２３２から時間スキュー２５２を通ってパイロットＰＮシーケンスＰＮＩおよびＰＮＱを受信する。時間スキュー２５２は、パイロットＰＮシーケンスＰＮＩおよびＰＮＱを進め、遅延する。ＱＰＳＫデスプレッダ２５０は、ＩおよびＱ信号サンプル上で拡散しているＰＮを除去し、進められたまたは遅延された露出されたＩおよびＱ成分サンプルを抽出する。Ｉ＆Ｑ合計（Σ）２５２は、１組のＰＮサンプルにわたって結果を加算し、時間追跡装置２５４に出力を供給する。時間追跡装置２５４は、合計された進められおよび遅延されたＩおよびＱ成分サンプルを比較して、入来した信号の時間位置の現在の評価を反映した復調路時間２７０を供給する。
　復調素子が新しい信号に割当てられる度に、復調素子は依然として復調路内にある古いデータを排出して、新しい信号上にロックするために若干の時間を必要とする。このプロセスは、復調素子が有効な出力データを生成しない限定された時間を生成する。本発明は、１調査当りの再割当て数を制限する（以下説明するように）ため、データの大きいブロックは失われない。またこの方法は、２つの同様に有効な信号間における過度の再割当てを制限するヒステリシス的比較動作も含んでいる。
　入力信号２１０は、探索素子および復調素子に信号を供給する。入力信号２１０は、多数のベースステーションからのパイロット信号を含んでいてもよい。それはまた現在のモービルステーションだけでなく別のモービルステーションに意図された種々のベースステーションからの情報信号を含んでいてもよい。図３Ａ乃至３Ｃは、本発明の方法を実行するために必要とされる入力信号２１０の成分を示すためのフォーマット例を示す。以下、実行される特定の方法は、３つの復調素子が割当てに利用可能であると仮定する。図３Ａは、第１のベースステーションまたはセクタに対するパイロット信号強度対時間を示す。図３Ｂおよび３Ｃは、第２および第３のベースステーションまたはセクタに対するパイロット信号強度対時間をそれぞれ示す。図３Ａ乃至３Ｃにおいて、水平軸は時間位置を有し、垂直軸はエネルギ位置をｄＢで有する。図３Ａにおいて、４つの通路は雑音フロアより高く、通路３００、３０２、３０４および３０６とラベルを付けられている。通路３００は、時間的に最初に到着し、ベースステーションからモービルステーションまで利用可能な最も直接的な通路であると仮定することができる。通路３０２、３０４および３０６は、時間的に逐次的に後続し、通路３００と同じ信号の多通路信号である。ライン３２０は、信号対雑音比がそれより下では信頼できるデータを生成しないしきい値を表す。
　図３Ｂおよび３Ｃは、２つの他のベースステーションまたはベースステーションセクタから入来した信号を表わす。３つのベースステーションの中の時間オフセットは、明瞭に示されていない。図３Ｂおよび３Ｃは、説明のために図３Ａの遅延に対して正規化されていると考えることができる。図３Ｂにおいて、２つの通路は雑音フロアより高く、通路３０８および３１０とラベル付けされている。通路３０８は時間的に最初に到着し、通路３１０は時間的に後続する。再度ライン３２０は、信号対雑音比がそれより下で信頼できるデータを生成しないしきい値を表す。図３Ｃにおいて、２つの通路は雑音フロアより高く、通路３１２および３１４とラベル付けされている。通路３１２は時間的に最初に到着し、通路３１４はある時間の後それに続く。再度ライン３２０は、信号対雑音比がそれより下で信頼できるデータを生成しないしきい値を表す。
　上記に説明したように、モービルステーション電力制御は全体的なシステム特性にとって重要である。各モービルステーションは、高いシステム容量を得るために信頼できる通信が可能な最小の信号を送信しなければならない。モービルステーションが通信する各ベースステーションはモービルステーションの送信電力を独立的に命令しているため、その方法には高度のベースステーションまたはべースステーションセクタダイバーシティが有効である。最大システム容量のために、任意のベースステーションがモービルステーションにその送信電力を減少するように命令した場合、モービルステーションはそのようにしなければならない。モービルステーションは、それが通信している全てのベースステーションが送信電力の増加を命令した場合にのみ、送信電力を増加する。この方法には、特定のベースステーションからの電力制御情報がモービルステーションに達することのできないためベースステーションのダイバーシティが有効である。
　ここに説明されたシステムの例において、モービルステーションがアイドル状態のときに（例えば、モービルステーションはオンであるがベースステーションとの連続的な双方向通信に関与していない場合）、１つの活動的なベースステーションだけがモービルステーションにとって必要である。上述のように、モービルステーションが電話機の呼びの間等の延長通信モードに入った場合、通信は複数のベースステーションにより設定されてもよい。以下に説明する割当て方法は、アイドルモード動作および延長した通信中に適用される。本発明の方法は、モービルステーションがアイドル状態のとき等の１つのベースステーションだけが活動的であるときにそれ自身を簡単化する。本発明は、この方法で動作するシステムに限定されない。
　図４は、本発明によるモービルステーションに対する復調素子割当て方法の一例の要約である。この方法は循環的に実行される。各サイクルの第１のステップにおいて、探索素子は図４のブロック３５０によって示されたように各活動ベースステーションに対してパイロット信号強度対時間の調査を行う。活動ベースステーションとは、通信がそれを通って設定されたベースステーションである。これらのベースステーションは、集合的に活動ベースステーションの組と呼ばれる。探索素子は各ベースステーションからの信号の予測到着時間の近傍で時間ウインドウを走査し、多通路信号が発見される。探索素子は、時間オフセットおよび信号強度を含む１組の調査路データを生成する。
　制御装置は、ブロック３５２によって示されているように復調路に調査路を整合する。復調路は、復調素子に現在割当てられている通路である。各復調素子からの対応した通路情報（時間オフセットおよび信号強度）は、制御装置によって収集される。
　上述のように、通路に復調素子を割当てるために主として考慮する事項は、現在復調素子に割当てられた同じベースステーションまたはセクタからの別の通路の数である。調査路が任意の復調素子によって現在復調されていない信号を有するベースステーションからのものである場合、調査路は復調素子の割当ての候補になる。復調素子がブロック３５４において通路の割当てを解除され、調査路に再度割当てられなければならない場合、この方法はブロック３５６によって示されているように１サイクル当り１以上の復調素子の再割当てを回避するためにブロック３５０に戻る。復調素子が再割当てられなかった場合、復調素子はブロック３５８によって示されているように信号強度にしたがって割当てられてもよい。その後、方法はブロック３５０に戻り、次のサイクルが開始される。
　図５Ａ乃至５Ｄは、図４の復調素子割当て方法の概略の詳細な一例である。図５Ａ乃至５Ｄにおいて、割当てに利用できる３つの復調素子が存在していると仮定する。しかしながら、本発明のその他多数の実施例は、図５Ａ乃至５Ｄの実施例を考慮した時に容易に明らかになるであろう。例えば、復調素子の数は３個より多くても少なくてもよい。したがって、図５Ａ乃至５Ｄは本発明を制限するものではなく、好ましい１実施例に過ぎない。
　図５Ａはそのサイクルを開始し、図４のブロック３５０にほぼ等しい。ブロック１０は、この方法の開始機能を示す。ブロック１２は、最後のサイクルで発見された調査路のリストを消去する。ブロック１４は、探索プロセスに対して考慮されている第１のセクタであるように通信が設定された第１のベースステーションセクタを設定する。ブロック１６は、考慮しているセクタからの信号の予測到着時間の近傍で時間ウインドウを探索するように探索素子に命令する。ブロック１８は、考慮されているセクタの探索から最も強い局部的極大を３つだけ発見する。この例において、３つのより多くの最も強い局部的極大を発見することは、３個の復調素子しか割当てに利用できないため非効率的であり、復調素子が単一のベースステーションセクタから第４の最大調査路に割当てられる場合はない。
　実施例において、局部的極大は、０．５チップ時間的に間隔を隔てられた調査サンプルの使用に基づいて探索ウインドウ内で発見される。もっと小さい調査サンプルの分解能が使用された場合、単一の信号路は１以上の異なるピークを生成する。このようなシステムでは、異なるピークは復調素子割当てのために単一の局部的極大を生成するために使用されることが可能である。
　ブロック２０は、最小の信号レベルしきい値を越えた３つの各極大の情報を調査路のリストに付加する。探索されていない活動的な組中のあるセクタが存在する場合、ブロック２２はブロック２６にこの方法を導く。ブロック２６は、考慮されている次のセクタを選択し、ブロック１６乃至２２が考慮されている次のセクタに対して反復される。考慮されているセクタが探索されるべき最後のセクタである場合、調査リストは終了する。ブロック２２は、接続ブロック２４を通ってこの方法の次の部分に流れを導く。
　１組の調査路を獲得すると、この方法は、図４のブロック３５２にほぼ等しい図５Ｂに続く。接続ブロック２４は、ブロック３２に流れを導く。ブロック３２は、復調素子によって現在復調されている通路の１つに考慮されている復調路を設定する。ブロック３４は、考慮されている復調路に対応した復調素子のロック／非ロック状態をチェックする。復調素子がロックされていない場合、制御装置は復調素子の割当てを解除するか、或はそれはブロック５０によって示されているように復調素子に“フリー”とラベルを付けしてもよい。このような場合、調査路に整合するのに有効なデータは存在しない。考慮されている復調路に対応した動作は、終了し、ブロック５０はブロック４６に流れを導く。
　考慮されている復調路が現在ロック状態である場合、ブロック３６は調査路のリスト中の類似した情報に時間オフセットを整合しようとする。一般に、各復調路は１以上の調査路と一致する。換言すると、ベースステーションからの通路が復調される程十分に強い場合、それは探索素子によって検出可能でなければならない。時々、探索素子は通路を見失い、したがって調査路リスト上の復調路に対応した通路に入らない可能性がある。復調素子は、通路の信号レベルおよび時間オフセットを探索素子より正確に評価する。したがって、この方法において復調素子は正確であり、このような通路が存在すると見なされる。それ故、復調路に対して調査路エントリィが存在しない場合、ブロック５２は復調路に対応した調査路エントリィを生成する。考慮されている復調路に対応した動作は終了し、ブロック５２はブロック４６に流れを導く。
　考慮されている復調路に対応した調査路が存在している場合、ブロック３８は、考慮されている復調路が特定の調査路に整合すべき第１の復調路であるか否かを質問する。考慮されている復調路が第１のものである場合、考慮されている復調路に対応した動作は終了し、ブロック３８はブロック４６に流れを導く。
　考慮されている復調路が特定の調査路に整合すべき第１の復調路でない場合、２つの復調素子が実質的に同じ通路を復調している。このシナリオは、共通の出来事である可能性が高い。各復調素子は、それが元来割当てられていた信号を追跡する。一般に、２つの多通路信号は時間の経過と共に１つの通路またはほぼ同じ通路に融合（ｍｅｒｇｅ）する。ブロック３８は、このような状況を識別する。考慮されている復調路が特定の調査路に整合すべき第１の復調路でない場合、ブロック４０は、どの復調路が強い信号レベルを有するかを決定する。考慮されている復調路が強い信号レベルを有する場合、ブロック２４は割当てを解除するか、或はこの同じ調査路に整合した通路を有する前の復調素子にフリーのラベルを付ける。考慮されている復調路が前の通路より弱い場合、ブロック４４は考慮されている復調路に対応した復調素子の割当てを解除するか、或はそれにフリーのラベルを付ける。考慮されている復調路に対応した動作は終了する。
　まだ考慮されたことのない復調路が存在している場合、ブロック４６はブロック４８にこの方法を導く。ブロック４８は、考慮されている次の復調路を選択し、ブロック３４はその復調路のためにプロセスを反復し始める。考慮されている復調路が考慮されるべき最後の復調路である場合、ブロック４６は接続ブロック５４を通ってこの方法の次の部分に流れを導く。
　１組の調査路を獲得し、調査路に復調路を整合すると、この方法は、図４のブロック３５４および３５６にほぼ等しい図５Ｃに続く。接続ブロック５４はブロック６０に流れを導く。ブロック６０は、最も強い信号レベルを有する調査路に考慮されている調査路を設定する。ブロック６０はまた調査路が対応しているベースステーションセクタを書留める。図５の方法は、セクタダイバーシティが特定のシステム構造の場合に電力制御に最も有効なものであることを強調している。本発明による方法は、べースステーションダイバーシティを強化することが可能である。べースステーションダイバーシティをセクタダイバーシティより強調することは別のシステムにおいて有効であるかもしれない。
　セクタダイバーシティを最大にするために、ブロック６２は、復調素子が考慮されている調査路のセクタからの任意の通路を復調するために割当てられるか否かを質問する。そうであるならば、考慮されている調査路に対応した動作は終了する。考慮されている調査路のセクタからの任意の通路に割当てられた復調素子がない場合、流れはブロック６４に続く。ブロック６４は、フリーであるか、或は割当てられていない復調素子があるかを質問する。割当てられていない、またはフリーの復調素子が存在している場合、ブロック７２は考慮されている復調路に割当てられていない、またはフリーの復調素子を割当て、考慮されている調査路に対応した動作が終了する。
　図５Ｃのプロセスは、次の調査路に対して連続する。したがって、方法はブロック６２からおよびブロック７２からブロック７４まで連続する。ブロック７４は、調査路が残っているか否かを質問する。調査路が残っている場合、ブロック７０は２番目に強い調査路を考慮されている調査路であると選出し、流れはブロック６２に続く。付加的な調査路がない場合、流れは接続ブロック７８を通って図５Ｄに連続する。
　ブロック６４に続いて、割当てられていない、またはフリーの復調素子がない場合、ブロック６６は、多数の復調素子が任意の１つのセクタに割当てられるか否かを質問する。１以上の復調路を有するセクタが存在する場合、この再割当てはこのサイクルの唯一の再割当てであり、流れは接続ブロック８０を通って図５Ａの新しいサイクルの始めに続く。
　ブロック６６から連続して、１以上の復調路を有するセクタが存在しない場合、ブロック６８は復調路が考慮されている調査路の信号強度より少なくとも３ｄＢ弱い信号強度を有するか否かを質問する。３ｄＢのオフセットは、２つの同様に有効な通路間における過剰な再割当てを阻止するヒステリシスウインドウである。もっと大きいまたはもっと小さいヒステリシスウインドウは、システムの適用条件に応じて使用されることが可能である。このような３ｄＢ弱い通路が存在する場合、ブロック７６は最も弱いこのような復調路に対応した復調素子を調査路に再度割当てる。この再割当ては、このサイクルに対する唯一の再割当てであり、流れは接続ブロック８０を通って図５Ａの新しいサイクルの始めに続く。このような３ｄＢ弱い通路が存在しない場合、残りの調査路は考慮されている復調路と同様に図５Ｃを通って流れる。したがって、このような通路が存在せず、このサイクル中に再割当てが発生しないことを意味した場合、流れはブロック６８から接続ブロック７８を通って図５Ｄに続く。
　１組の調査路を獲得し、調査路に復調路を整合したとき、再割当てがこのサイクル中まで発生していない場合、この方法は図５Ｄにおいて連続する。図５Ｄは、図４のブロック３５８にほぼ等しい。接続ブロック７８は、ブロック８４に流れを導く。ブロック８４は、最も強い信号レベルを有する調査路に考慮されている調査路を設定する。ブロック８４はまた考慮されている調査路が対応するベースステーションセクタを書留める。図５Ｄの方法では、セクタダイバーシティが電力制御に対して最も有効なことが強調されている。しかしながら、上記に説明されたように、本発明の別の構成ではセクタと無関係のべースステーションダイバーシティを強調することができる。
　ブロック８６は、復調素子が考慮されている調査路に割当てられるか否かを質問する。復調素子が考慮されている調査路に対応した復調路を有する場合、ブロック１０４はさらに調査路が存在しているか否かを質問する。別の調査路が存在している場合、ブロック１００は２番目に高い信号レベルを有する調査路を考慮されている調査路であると設定し、考慮されている新しい調査路に対応したセクタを書留める。プロセスはブロック８６で再び始まる。考慮されている調査路が考慮されるべき最後の調査路である場合、流れは接続ブロック８０を通って図５Ａの新しいサイクルの始めに続く。
　考慮されている調査路に対応した復調路を有する復調素子が存在しない場合、ブロック８８は割当てられていないまたはフリーの復調素子が存在しているか否かを質問する。割当てられていないまたはフリーの復調素子が存在している場合、ブロック１０２は割当てられていないまたはフリーの復調素子を考慮されている調査路に割当てる。流れは上記に説明されたようにブロック１０４を通って連続する。割当てられていないまたはフリーの復調素子が存在しない場合、ブロック９０は考慮されている調査路との比較のために最も弱い復調路を選択する。
　ブロック９２は、比較用の復調路が考慮されている調査路のセクタに対応するか否かを質問する。比較用の復調路が考慮されている調査路と同じセクタからのものである場合、ブロック１０６は、比較用の復調路の信号レベルが考慮されている調査路の信号レベルより３ｄＢ以上弱いか否かを質問する。３ｄＢデルタは、２つの類似の有効な通路間における過剰な再割当てを阻止するヒステリシスウインドウである。もっと大きいまたはもっと小さいヒステリシスウインドウは、システムの適用に応じて使用されることができる。調査路信号レベルが比較用の復調路より３ｄＢ以上大きくない場合、サイクルは接続ブロック８０によって示されているように始まる。調査路の信号レベルが比較用の復調路の信号レベルより３ｄＢ以上大きい場合、比較用の復調路に対応した復調素子は、ブロック１０８によって示されているように考慮されている調査路に再度割当てられる。この再割当ては、このサイクルに対する唯一の再割当てであり、サイクルは接続ブロック８０によって示されたように図５Ａで再開する。
　ブロック９２から連続して、比較用の復調路が考慮されている調査路と同じセクタからのものでない場合、ブロック９４は比較用の復調路が比較用の復調路に対応したセクタからの唯一の復調路であるか否かを質問する。比較用の復調路がそのセクタからの唯一の復調路でない場合、流れは上記に示されたようにブロック１０６を通って連続する。
　比較用の復調路がそのセクタからの唯一の復調路である場合、ブロック９６は残りの復調路が存在するか否かを質問する。残りの復調路が存在しない場合、サイクルは接続ブロック８０によって示されているように図５Ａで再開する。残りの復調路が存在する場合、比較用の復調路はブロック９８によって２番目に弱い信号強度を有する復調路に対して設定される。流れはブロック９２で連続する。
　一例として、図５Ａ乃至図５Ｄの方法は、図３Ａ乃至３Ｃに示された信号に基づいて実行されると仮定する。他のベースステーションセクタはモービルステーションに利用できるものはないと仮定する。３つの復調素子は次のように割当てられると仮定する：
ここにおいて、セクタは図３Ａ乃至３Ｃの図面番号に対応する。流れは図５Ａにおいて始まる。調査リストは消去され、図３Ａのセクタは考慮されている第１のセクタとして設定される（ブロック１０乃至１４）。探索素子は、図３Ａに示され、次のようにラベル付けされた多通路信号の探索を開始する。
　通路３０４は４つのレベルのうちの最も小さいものであり、しきい値ライン３２０によって示されているようにしきい値レベルより下である。探索素子は、３つの極大を発見する（ブロック１６乃至２０）。したがって、このサイクルに対して調査路のリストに付加される最終的なデータは次の通りである：
　セクタ３Ｂは、考慮されている次のセクタとして設定される（ブロック２２および２６）。さらに２つのエントリィが次のように調査路のリストに付加される（ブロック１６乃至２０）：
　セクタ３Ｃは、考慮されている次のセクタとして設定される（ブロック２２および２６）。さらに２つのエントリィが次のように調査路のリストに付加される（ブロック１６乃至２０）：
　このようにして、調査路のリストは終了し、流れは図５Ｂに続く。
　図５Ｂは、復調素子１の通路を考慮されている第１の通路であると設定することによって始まる。復調路１はロックされているため、復調路は調査路に整合される（ブロック３４乃至３６）。この例において、ｔ１はｔ１０にほぼ等しく、したがって復調路１は調査路３００に整合すると仮定する。復調路１は調査路３００に整合すべき第１の復調路であるため、プロセスは次の復調路のために続く（ブロック３８および４６）。
　復調路２は、考慮されている復調路として設定される（ブロック４８）。復調路２はロックされていないため、復調路２はフリーとラベル付けされる（ブロック３４および５０）。プロセスは、次の復調路のために続く（ブロック４６）。
　復調路３は、考慮されている復調路として設定される（ブロック４８）。復調路３はロックされるため、復調路は調査路に整合される（ブロック３４乃至３６）。この例において、ｔ３はまたｔ１０にほぼ等しく、したがって復調路３は復調路１のように調査路３００に整合すると仮定する。復調路３は調査路３００に整合すべき第２の復調路であるため、プロセスは２つの通路の振幅を比較する（ブロック３８および４０）。この例において、Ａ３＜Ａ１と仮定し、したがって復調素子３はフリーとラベル付けされる（ブロック４４）。復調路３は最後の復調路であるため、図５Ｂの機能は終了し、流れは次の復調路のリストおよび調査路の次のリストにより図５Ｃに続く：
　Ａ１４が最も強い信号レベルであると仮定すると、図５Ｃは考慮されている調査路として調査路３０８を設定し、その通路を含むセクタとして３Ｂを設定することによってスタートする（ブロック６０）。この場合、復調素子はセクタ３Ｂに割当てられず、また復調素子２はフリーである（ブロック６２および６４）。したがって、復調素子２は調査路３０８に割当てられ、復調路の新しいリストは以下の通りである：
　Ａ１１が２番目に強い信号レベルであると仮定すると、調査路３０２は考慮されている次の調査路であり、３Ａはその通路を含むセクタである（ブロック７４および７０）。セクタ３Ａに割当てられた復調路は既に存在しているため、Ａ１５が２番目に強い信号レベルであると仮定すると、調査路３１０は考慮されている次の調査路として設定され、３Ｂは通路を含むセクタとして設定される（ブロック６２，７４および７０）。Ａ１０およびＡ１３が信号強度の順番で後続すると仮定すると、このプロセスは調査路３００および３０６を通って連続する。調査路３１４が考慮されている通路であり、３Ｃがその通路を含むセクタである場合、前にフリーの復調素子３は調査路３１４に割当てられる（ブロック６２，６４および７２）。調査路３１２は考慮されている調査路として設定され（ブロック７４および７０）、復調路３はセクタ３Ｃに割当てられるため、図５Ｃの機能は終了し（ブロック６２および７４）、復調路のリストは次の通りである：
　このシナリオにおいて、復調素子はこの時点まで再割当されておらず、したがって流れは図５Ｄに続く。調査路３０８は考慮されている調査路として再び設定される。調査路３０８は復調素子２に割当てられるため、プロセスは考慮されている調査路として調査路３０２で連続する（ブロック８６，１０４および１００）。調査路３０２は復調素子によって現在復調されておらず、したがって復調路３は、最も弱い復調路であるため考慮されている復調路として設定される（ブロック８６，８８および９０）。復調路３は調査路３０２と同じセクタのものではなく、他の復調路はセクタ３Ｃに割当てられないため、復調路１は２番目に弱い復調路であるので、考慮されている復調路として設定される（ブロック９２，９４，９６および９８）。復調路１は、調査路３Ａと同じセクタに含まれる（ブロック９２）。Ａ１１がＡ１より３ｄＢ以上大きいと仮定すると、復調素子１は調査路３０２に再度割当てられる。この再割当は、このサイクルのプロセスを終了させる。調査路は次のサイクルのために消去され（ブロック１２）、復調路のリストは次の通りである：
　ベースステーション方法は、モービルステーション方法より複雑さが少い。モービルステーションとは異なり、多数のセクタを有するベースステーションは、類似した電力制御情報がモービルステーションから送られないためセクタダイバーシティとは無関係である。ベースステーション方法は、全ての利用可能な復調素子を最も強い通路に割当て、一方過剰な再割当てを阻止することに集中している。
　ベースステーションによって使用された方法は、ベースステーションが多数の独立した復調素子を含んでいると仮定する。図６は、このようなベースステーションの１実施例を示す。図６は３つのセクタに区分されたベースステーションを表し、ここにおいて各アンテナ４２２Ａ乃至４２２Ｃは１つのセクタに対するアンテナである。各アンテナ４２２Ａ´乃至４２２Ｃ´は、各アンテナ４２２Ａ乃至４２２Ｃに対応し、同じ参照符号のアンテナに対応したセクタに対するダイバーシティアンテナである。各アンテナ４２２Ａ乃至４２２Ｃは、アンテナ４２２Ａ´乃至４２２Ｃ´の対応したアンテナと同じカバレージ領域をカバーする。典型的なベースステーションにおいて、アンテナ４２２Ａ乃至４２２Ｃは、ベースステーションを３つのセクタに細分割する重複したカバレージ領域を有し、ここにおいて各アンテナはベースステーションの合計集合カバレージ領域の１／３以上をカバーする。したがって、単一のモービルステーションからの信号は、一時に１以上のアンテナに存在する可能性がある。セクタの数および各セクタに割当てられたアンテナの数は変化してもよい。このタイプの変化は、本発明の一般的な原理に影響を与えない。
　アンテナ４２２Ａ，４２２Ｂ，４２２Ｃ，４２２Ａ´，４２２Ｂ´および４２２Ｃ´は、ＲＦ処理およびデジタル変換器４２４Ａ，４２４Ｂ，４２４Ｃ，４２４Ａ´，４２４Ｂ´および４２４Ｃ´に受信された信号をそれぞれ供給する。ＲＦ処理およびデジタル変換器４２４Ａ，４２４Ｂ，４２４Ｃ，４２４Ａ´，４２４Ｂ´および４２４Ｃ´はＲＦ信号を処理し、デジタルビットに信号を変換する。ＲＦ処理およびデジタル変換器４２４Ａ，４２４Ｂ，４２４Ｃ，４２４Ａ´，４２４Ｂ´および４２４Ｃ´はデジタルビットをフィルタ処理し、インターフェイスポート４２６に結果的なデジタルビットを供給する。インターフェイスポート４２６は、相互接続部４１２を介して制御装置４００の制御の下で探索素子または復調素子のいずれかに６つの入来信号路のいずれかを接続することができる。
　探索および復調素子はまた相互接続部４１２を通って制御装置４００によって制御される。探索素子４０２Ａ乃至４０２Ｎは、システム制御装置４００によって制御される特定のモービルステーションの情報信号を探索するのに時間領域ウインドウを連続的に走査する。探索素子４０２Ａ乃至４０２Ｎはまた発生した多通路信号の探索において信号の公称到着時間の近傍の１組の時間オフセットを走査する。
　探索素子４０２Ａ乃至４０２Ｎは、メモリ４１８に記憶するために制御装置４００に発生されたデータを送る。探索素子４０２Ａ乃至４０２Ｎは標準方式のバスを通ってデータを送るか、或は探索素子４０２Ａ乃至４０２Ｎは図１を参照して前に説明されたように直接メモリアクセス（示されていない）を通ってメモリ４１８にデータを送ってもよい。制御装置４００は、単一のモービルからの複数の情報信号の１つに復調素子４０４Ａ乃至４０４Ｎを割当てるためにメモリ４１８に記憶されたデータを使用する。
　この実施例において、高いシステム容量を維持するためにシステム中の各モービルステーションはパイロット信号を連続的に送信しない。逆方向リンクにおけるパイロット信号の欠如は、モービルステーション信号が受信される可能性のある全ての時間オフセットの調査を単一の探索素子により実行するために必要な時間を増加させる。したがって、迅速な探索プロセスを行うために、１以上の探索素子は全探索を行うために使用される。各探索素子４０２Ａ乃至４０２Ｎは、１組の時間オフセットを探索するために制御装置によって割当てられる。各探索素子４０２Ａ乃至４０２Ｎは、それが実行した探索の結果を制御装置４００に戻す。制御装置４００は、割当て方法で使用するためにこれらの結果を表にする。
　復調素子４０４Ａ乃至４０４Ｎは、シンボル結合器４０８において組合せられるデータビット４２０Ａ乃至４２０Ｎを生成する。シンボル結合器４０８の出力（示されていない）は、ビタビ復号に適切な集合ソフト決定データである。シンボル結合器４０８は１つのセクタからの信号を組合せて出力を生成することができ、或はそれはインターフェイスポート４２６によって選択された多数のセクタからのシンボルを組合せることが可能であることに留意されたい。シンボル結合器４０８が１以上のセクタを通って通信しているモービルステーションからの信号を組合せているとき、この状態はよりソフトなハンドオフ（ｓｏｆｔｅｒ　ｈａｎｄｏｆｆ）と呼ばれる。ベースステーションは、セルシステム制御装置にシンボル結合器４０８の出力を送り、この制御装置において共通のモービルステーションからのシンボルが別のベースステーションからの信号と結合されて単一の出力を生成する。このプロセスをソフトハンドオフと呼ぶ。復調素子４０４Ａ乃至４０４Ｎはまた割当てプロセスで使用される相互接続部４１２を通って制御装置４００にいくつかの出力制御信号を供給する。
　各復調素子４０４Ａ乃至４０４Ｎは、他のものに構造的に非常に類似している。図７は、図６の復調素子４０４をさらに詳細に示す。図７において、デジタル化された入力信号は、同位相（Ｉ）および直角位相（Ｑ）信号サンプルを有する直角位相偏移変調（ＱＰＳＫ）信号であると仮定する。それぞれ多ビット値であるＩおよびＱ信号サンプルは、デシメータおよびデスプレッダ４３０に入力される。典型的に、ＩおよびＱ信号サンプルは過剰にサンプルされ、入力がチップ速度より高いデータ速度で受信される。デシメータおよびデスプレッダ４３０において、データは過剰にサンプルされたデータ速度からＰＮチップ速度にデシメートされる。その後、データは、モービルステーションにおいてこの信号を変調するために使用された同じＰＮシーケンスを使用してデシメータおよびデスプレッダ４３０によってデスプレッドされる。
　デシメータおよびデスプレッダ４３０は、デスプレッドされたＩおよびＱ信号成分を累算器４３８に出力する。累算器４３８は、ウォルシュチップ期間にわたってデスプレッドＩおよびＱ信号成分を累算して、累算されたＩおよびＱチップデータを生成する。その後、累算されたＩおよびＱチップデータは高速アダマール変換器（ＦＨＴ）および選択装置４４０によって処理される。ＦＨＴおよび選択装置４４０のＦＨＴ部分は、全ての可能性のあるウォルシュシーケンスによって累算されたＩおよびＱチップデータを相関する。その後、各ＩおよびＱ相関結果は、対応したウォルシュシンボルの大きさを評価するために使用される。各ＩおよびＱ相関結果からの大きさ評価は互いに比較される。最大の大きさを有するＩおよびＱ相関結果に対応したウォルシュシンボルは、ＦＨＴおよび選択装置４４０の選択装置部分によって復調されたウォルシュシンボルとして選択される。復調されたウォルシュシンボルは、対応したウォルシュシンボルの評価された大きさと共に出力される。
　モービルステーションの場合のように、異なる復調素子に割当てられた信号路の異なる到着時間のために、復調素子４０４はまたシンボルのデスキュー（ｄｅ−ｓｋｅｗ）を実行する。時間デスキュー４４２は、各復調素子が他の復調素子に関連して同期されたデータを供給するように出力を遅延する。
　エネルギ累算器およびロック検出器４４４は、一連の連続したウォルシュシンボルの大きさを合計する。結果的な和は、割当て方法における使用のために制御装置に信号強度４６４として出力される。結果的な和はまたしきい値と比較され、ロックまたは非ロック状態を指示する。
　復調素子４０４に割当てられた信号路の到着時間は、モービルステーションの移動またはモービルステーションの周囲の変化のために時間にわたって変化する可能性がある。したがって、モービルステーションのものと同様に、ベースステーション復調素子は時間追跡回路を含む。デシメータおよびデスプレッダ４３０は、時間追跡プロセスにおいて使用されるべきデスプレッドＩおよびＱ信号成分の早期および後期の変化を出力する。累算器４３２はウォルシュチップ期間にわたって早期および後期のデスプレッドＩおよびＱ信号成分を累算して、累算された早期および後期のＩおよびＱチップデータを生成する。早期および後期メトリック発生器４３４は、復調されたウォルシュシンボルに対応したウォルシュシーケンスにより累算された早期および後期のＩおよびＱチップデータを乗算し、その結果を累算して、早期および後期のＩおよびＱウォルシュシンボルを生成する。早期のウォルシュシンボルの大きさは、早期のＩおよびＱウォルシュシンボルに基づいて発見される。後期のシンボルの大きさは、後期のシンボルの大きさから減算され、エラーメトリックを生成する。エラーメトリックは、時間追跡装置４３６に出力される。時間追跡装置４３６は、デシメータおよび選択装置４３０におけるデスプレッド動作が早く、遅れて、または時間丁度にランしているか否かを決定するためにエラーメトリックを使用する。時間追跡装置４３６はまた制御装置への出力のために復調素子の絶対復調路時間４７０の追跡を維持する。
　探索素子は、探索素子が時間追跡およびロック検出回路を有しないことを除いて復調素子に類似している。時間追跡は、探索プロセスがチャンネルのコヒーレンスに関して迅速に行われるため探索素子において不要である。換言すると、時間ドリフトは、単一の探索を行なうために使用される時間中無視できる。
　図８は、本発明によるセクタに区分されたベースステーションに対する復調素子割当て方法の１例の要約である。この方法は周期的に行われる。各サイクルの第１のステップにおいて、探索素子は、図８のブロック４５０によって示されているように通信が設定される単一のモービルステーションに対するモービルステーション信号強度対時間の調査を行う。各探索素子は、多通路信号を発見するためにモービルステーションからの信号の予測到着時間の近傍の時間ウインドウを走査する。制御装置は、時間オフセットおよび信号強度を含む探索素子のデータに基づいて１組の調査路データを生成する。　制御装置は、ブロック４５２によって示されているように復調路に調査路を整合する。復調路は、復調素子に現在割当てられた通路である。各復調素子からの対応した通路情報（時間オフセットおよび信号強度）は、制御装置によって収集される。
　上記のように、ベースステーションにおいて復調素子を割当てるための主要な考慮事項は、最も高い可能性のある集合信号レベルを獲得することである。全てのフリーでロックされていない復調素子は、ブロック４５４において復調路に対応しない最も高い信号強度の調査路に割当てられる。また各サイクルにおいてある固定数までの復調素子がブロック４５６において元の復調路より強い信号強度を有する調査路に再度割当てられてもよい。サイクルは、ブロック４５６からブロック４５０に続く。
　図９Ａ乃至９Ｄは、図８の方法をさらに詳細に示す。この例示的なフローチャートは、４個の復調素子および８個の探索素子を有するシステムを仮定している。開発された方法は本発明による好ましい実施例として示されている。この実施例において、再割当て数は１サイクル当り２に制限されている。その他の最大数は、本発明の技術的範囲を逸脱することなく選択されることができる。さらに、図９Ａ乃至９Ｄの実施例を検討することにより本発明のその他多数の実施例が容易に明らかになるであろう。したがって、図９Ａ乃至９Ｄは本発明を制限するものではなく、好ましい１実施例に過ぎない。
　図９Ａはこのサイクルを開始し、図８のブロック４５０にほぼ等しい。ブロック５１０は方法の開始機能を示す。ブロック５１２は最後のサイクルで発見された調査路のリストを消去する。ブロック５１６は、通信が設定されるモービルステーションからの信号の予測到着時間の近傍の時間ウインドウを探索するように探索素子に命令する。ブロック５１８は最も強い局部的極大を４つだけ受信する。この例において、５つ以上の最も強い局部的極大を受信することは、４個の復調素子しか割当てに利用できないため非効率的であり、復調素子が最も強い第５の調査路に割当てられる場合はない。ブロック５２０は、最小の信号レベルしきい値を越える各局部的極大の情報を調査路のリストに付加する。ブロック５２０は、接続ブロック５２４を通ってこの方法の次の部分に流れを導く。
　この方法は１組の調査路を獲得すると、図８のブロック４５２にほぼ等しい図９Ｂに連続する。接続ブロック５２４は、ブロック５３２に流れを導く。ブロック５３２は、復調素子によって現在復調されている通路の１つに考慮されている復調路を設定する。ブロック５３４は、考慮されている復調路に対応した復調素子のロック／非ロック状態をチェックする。復調素子がロックされていない場合、制御装置は復調素子の割当てを解除するか、或はブロック５５０によって示されているように復調素子に“フリー”とラベルを付ける。このような場合、調査路に整合する有効なデータは存在しない。考慮されている復調路に対応した動作は終了する。
　考慮されている復調路に対応した復調素子が現在ロック状態である場合、ブロック５３６は調査路のリスト中の類似した情報に復調路の時間オフセットを整合しようとする。考慮されている復調路に対応した調査路が存在している場合、ブロック５３８は考慮されている復調路が特定の調査路に整合すべき第１の復調路であるか否かを質問する。考慮されている復調路が第１のものである場合、考慮されている復調路に対応した動作は終了する。
　考慮されている復調路が特定の調査路に整合すべき第１の復調路でない場合、２個の復調素子は実質的に同じ通路を復調している。このシナリオは、共通の出来事である可能性が高い。各復調素子は、それが元来割当てられていた信号を追跡する。一般に、２つの多通路信号は時間の経過と共に１つの通路またはほぼ同じ通路に融合する。ブロック５３８は、このような状況を識別する。考慮されている復調路が特定の調査路に整合すべき第１の復調路でない場合、ブロック５４０は、どの復調路がより強い信号レベルを有するかを決定する。考慮されている復調路がより強い信号レベルを有する場合、ブロック５２４は割当てを解除するか、或はこの同じ調査路に整合した前の復調素子にフリーのラベルを付ける。考慮されている復調路が前の通路より弱い場合、ブロック５４４は考慮されている復調路に対応した復調素子の割当てを解除するか、或はそれにフリーのラベルを付ける。考慮されている復調路に対応した動作は終了する。
　まだ考慮されたことのない復調路が存在している場合、ブロック５４６はブロック５４８にこの方法を導く。ブロック５４８は、考慮されている次の復調路を選択し、ブロック５３４は考慮されている次の復調路のためにプロセスを反復し始める。考慮されている復調路が整合されるべき最後の復調路である場合、ブロック５４６は接続ブロック５５４を通ってこの方法の次の部分に流れを導く。
　１組の調査路を獲得し、調査路に復調路を整合すると、この方法は、図８のブロック４５４にほぼ等しい図９Ｃに続く。接続ブロック５５４はブロック５６０に流れを導く。ブロック５６０は、最も強い信号レベルを有する調査路に考慮されている調査路を設定する。
　ブロック５６２は、復調素子が考慮されている調査路を復調するために割当てられるか否かを質問する。そうであるならば、考慮されている調査路に対応した動作は終了する。考慮されている調査路に割当てられた復調素子がない場合、流れはブロック５６４に続く。ブロック５６４は、復調素子が何等割当てられていないか、或はフリーであるかを質問する。割当てられていない、またはフリーの復調素子が存在している場合、ブロック５７２は考慮されている調査路に割当てられていない、またはフリーの復調素子を割当て、考慮されている調査路に対応した動作が終了する。
　図９Ｃのプロセスは、ブロック５６２からおよびブロック５７２からブロック５７４に続く。ブロック５７４は、残っている調査路が存在するか否かを質問する。調査路が残っている場合、ブロック５７０は２番目に強い調査路を考慮されている調査路であるとして選出し、流れはブロック５６２に続く。付加的な調査路がなく、復調素子の数が発見された調査路数以上である場合、流れは接続ブロック５８０を通って図９Ａに続いて、このサイクルが再び始まる。反対に、復調素子より多い調査路が存在している場合、流れは、割当てられていないまたはフリーの復調素子が存在しなくなるまで調査路を通ってステップを連続する。ブロック５６４から続いて、流れは接続ブロック５７８を通って図９Ｄに連続する。
　この方法は図９Ｄで連続し、それは図８のブロック４５６にほぼ等しい。接続ブロック５７８は図９Ｃからブロック５９０に流れを導く。接続ブロック５７８に達したとき、図９Ｃの考慮されている調査路は依然として図９Ｄが開始されるとき考慮される調査路である。
　ブロック５９０は、考慮されている調査路と比較するために最も弱い復調路を選択する。ブロック５９２は、比較用の復調路の信号レベルが考慮されている調査路の信号レベルより３ｄＢ以上弱いか否かを質問する。３ｄＢの差は、２つの同様に有効な通路間における過剰な再割当てを阻止するためのヒステリシスウインドウである。より大きいまたはより小さいヒステリシスウインドウがシステムの適用に応じて使用されることができる。調査路信号レベルが比較用の復調路より３ｄＢを越えずに大きい場合、接続ブロック５８０によって示されているようにサイクルが再び始まる。調査路信号レベルが比較用の復調路より３ｄＢ以上大きい場合、比較用の復調路に対応した復調素子はブロック５９４によって示されているように考慮されている調査路に再度割当てられる。この再割当てはこのサイクルの第１の再割当てであるため、流れはブロック５７６に続く。２度目にブロック５９６に達した場合には、このサイクルの最大数の再割当てが発生し、接続ブロック５８０によって示されているように図９Ａによりサイクルが再開する。
　ブロック５７６は、調査路が存在しているか否かを質問する。別の調査路が存在している場合、ブロック５６４は２番目に高い信号レベルを有する調査路を考慮されている調査路であるように設定する。ブロック５８６は、復調素子が考慮されている調査路に割当てられるか否かを質問する。それにしたがって、プロセスはブロック５９０またはブロック５７６に連続する。考慮されている調査路が考慮されている最後の調査路である場合、流れは接続ブロック５８０を通って続き、図９Ａで新しいサイクルを始める。
　図１０Ａおよび１０Ｂは、単一のモービルステーションからの入力信号の成分を示したフォーマットの一例である。一般に、システムにおける、またはその近くの複数のモービルステーションからの多数の信号が各アンテナに存在している。図１０Ａおよび１０Ｂは、通信が設定された単一のモービルステーションの信号だけを示す。図１０Ａは、第１のベースステーションセクタで受信されたモービルステーションに対する信号強度対時間を示す。図１０Ｂは、第２のべースステーションセクタで受信された同じモービルステーションに対する信号強度対時間を示す。図１０Ａおよび１０Ｂにおいて、水平軸は時間の単位であり、垂直軸はエネルギの単位をｄＢで示す。図１０Ａにおいて、４つの通路が雑音フロアより高く、ラベルを付けられた通路４６２、４６４、４６６および４６８である。通路４６２が時間的に最初に到着し、モービルステーションからベースステーションまで有効な最も直接的な通路であると仮定することができる。通路４６４、４６６および４６８が順次続き、通路４６２と同じ信号の多通路信号である。ライン４６０は、信号強度がそれより下では信頼できるデータを生成しないしきい値を表す。
　図１０Ａのセクタと図１０Ｂのセクタとの間の時間オフセットは、明示的に示されていない。図１０Ｂは、説明のために図１０Ａの遅延に正規化されたものであると考えることができる。図１０Ｂにおいて、６つの通路が雑音フロアより高く、ラベルを付けられた通路４７０、４７２、４７４、４７６、４７８および４８０である。再び、ライン４６０はしきい値を信号強度がそれより下では信頼できるデータを生成しないしきい値を表す。
　一例として、図９Ａ乃至９Ｄの方法は図１０Ａおよび１０Ｂに示された信号に基づいて行われると仮定する。４つの復調素子は次のように割当てられると仮定する：
ここにおいて、セクタは図１０Ａおよび１０Ｂの図面番号に対応する。流れは図９Ａで始まる。調査リストは消去され、探索素子は適切なセクタに割当てられ、時間ウインドウを探索するように命令される（ブロック５１０乃至５１６）。探索データは各探索素子から受信され、４つの最も強い局部的極大が次のように信号強度の高いものから低いものの順に記録される（ブロック５２０および５２４）：
　図９Ｂは、復調素子１の通路を考慮されている第１の通路であるように設定することによって始まる。復調素子１はロックされているため、調査路に復調路を整合する試みがなされる（ブロック５３４乃至５３６）。この例において、ｔ１は比較的低い信号強度を有している図１０Ａの通路４６６の到着時間にほぼ等しいと仮定し、調査路リストに対応したエントリィを有しない。プロセスは次の復調路のために連続する（ブロック５４６）。
　復調路２は、考慮されている復調路として設定される（ブロック５４８）。復調路２はロックされているため、調査路に復調路を整合する試みがなされる（ブロック５３４乃至５３６）。この例において、ｔ２は比較的低い信号強度を有しているため、調査路リストに対応したエントリィを有しない図１０Ａの通路４６８の到着時間にほぼ等しいと仮定する。プロセスは次の復調路のために連続する（ブロック５４６）。
　復調路３は、考慮されている復調路として設定される（ブロック５４８）。復調路３はロックされているため、調査路に復調路を整合する試みがなされる（ブロック５３４乃至５３６）。この例において、ｔ３は通路４７０のｔ１０に対応する。復調路３は調査路４７０に整合する第１の復調路であるため、プロセスは次の復調路のために連続する（ブロック５３８乃至５４６）。　復調路４は、考慮されている復調路として設定される（ブロック５４８）。復調路４はロックされているため、調査路に復調路を整合する試みがなされる（ブロック５３４乃至５３６）。この例において、ｔ４は比較的低い信号強度を有しているため、調査路リストに対応したエントリィを有しない図１０Ａの通路４８０の到着時間にほぼ等しいと仮定する。復調路４は最後の復調路であるため、図５Ｂの機能は終了し、以下の調査路のリストにより図５Ｃに続く：
　Ａ１０は最も強い信号レベルであると仮定すると、図９Ｃは考慮されている調査路として通路４７０を設定することによってスタートする（ブロック５６０）。この場合、復調素子３は調査路４７０に割当てられる（ブロック５６２）。したがって、調査路４７６は考慮されている次の調査路として設定される（ブロック５７４および５７０）。調査路４７６に割当てられている復調素子がなく、また割当てられていないまたはフリーの復調素子は存在しないため、流れは図５Ｄに続く（ブロック５６２，５６４および５７８）。
　復調路１（図１０Ａの通路４６６に対応した）は最も弱い復調路であるため、考慮されている復調路であるように設定される（ブロック５９０）。Ａ１１はＡ１より３ｄＢ以上大きいと仮定すると、復調路１は調査路４７６に再度割当てられる（ブロック５９２および５９４）。この再割当ては、この探索サイクルの第１の再割当てであり、したがってどの復調素子も割当てられない調査路４７２が考慮されている次の調査路として設定される（ブロック５９６，５７６，５６４および５８６）。
　復調路２（図１０Ａの通路４６８に対応した）は、ここで最も弱い復調路なので、考慮されている復調路であるように設定される（ブロック５９０）。Ａ１２はＡ２より３ｄＢ以上大きいと仮定すると、復調路２は調査路４７２に再度割当てられる（ブロック５９２および５９４）。この再割当ては、この探索サイクルの第２の再割当てであるため、流れは別のサイクルを開始するために図９Ａに続く。復調素子の割当てリストは、以下の通りである：
　上記のベースステーション割当て例の結果において認識すべき興味深い点は、通信が１以上のセクタを通って設定されても、復調素子が全て同じセクタに割当てられることである。この結果は、セクタダイバーシティを重視するモービルステーション割当て方法から得られる結果と対照的である。４個の復調素子は、図１０Ｂに示されているように４つの最も強い通路に割当てられないことが認められることも興味深い。復調素子４は、セクタ１０Ｂの６番目に強い通路である通路４８０に割当てられる。しかしながら、上記の例ではこの復調素子が可能性のある再割当てのために調査路に比較される前に、１サイクル当り最大の再割当て数は達せられている。上記の方法は、１つのセクタしか有しないベースステーションに対して同様に適用できることを認識しなければならない。
　本発明の実施例の多数の明瞭な形態が存在する。前記の好ましい実施例の説明は、当業者が本発明を製造または使用することを可能にするように与えられている。これらの実施例に対する種々の修正は当業者に容易に明らかになるであろう。また、ここに限定された一般的な原理は、発明能力を使用せずにその他の実施例に適用されることが可能である。したがって、本発明はここに示された実施例に限定されるものではなく、ここに記載された原理および新しい特徴と適合する広い技術範囲で実現可能なものである。
（５７）【特許請求の範囲】
１．複数の復調素子を有する受信機において１組の利用可能な信号に前記複数の復調素子を割当てる方法において、
　
探索素子を用いて、
するステップと
　
制御素子を用いて、
するステップと
　割当てられていない復調素子が存在する場合には、前記復調路のリストにおけるあらゆる各送信機インデクスと異なる対応した送信機インデクスを有する特定の調査路に前記割当てられていない復調素子を割当てるステップを含んでいる複数の復調素子の割当て方法。
２．前記割当てられていない復調素子を割当てる前記ステップにおいて、前記特定の調査路は、前記対応した送信機インデクスを有する調査路のうち最も強い信号強度を有する調査路に対応している請求項１記載の方法。
３．さらに、割当てられていない復調素子が存在しない場合には、特定の調査路に特定の復調素子を再度割当てるステップを含み、このステップが、
　前記特定の復調素子
の割当てを解除し
　前記特定の調査路に前記特定の復調素子を割当てるステップを含んでいる請求項１記載の方法。
４．前記特定の復調素子は、どの復調素子の信号強度より弱い信号強度を有する復調路に対応している請求項３記載の方法。
５．前記特定の復調素子は、前記特定の調査路の信号強度より弱い信号強度を有する復調路に対応している請求項３記載の方法。
６．前記特定の復調素子は、前記特定の調査路の信号強度より少なくともある比率だけ弱い信号強度を有する復調路に割当てられ
てい
７．前記特定の復調素子は、前記特定の調査路の信号強度より３ｄＢ弱い信号強度を有する復調路に割当てられ
てい
８．前記特定の復調素子は、少なくとも１つの他の復調路の送信機インデクスと同じ送信機インデクスを有する特定の復調路に割当てられ
てい
９．前記特定の復調路は、前記復調路リスト中にこのような通路の最も弱い信号強度を有している請求項８記載の方法。
１０．前記送信機インデクスはベースステーションを表している請求項１記載の方法。
１１．前記送信機インデクスはベースステーションのセクタを表している請求項１記載の方法。
１２．各送信機は疑似雑音変調を使用して拡散スペクトル信号を送信し、前記送信機インデクスは送信された拡散スペクトル信号のコードオフセットを表す請求項１記載の方法。
１３．
前記復調路のリストを前記調査路のリストに
１４．
前記復調路のリストを前記調査路のリストに
　第１の信号強度を有する第１の復調路を第１の調査路に整合し、
　前記第１の信号強度より大きい第２の信号強度を有する第２の復調路を前記第１の調査路に整合し、
　前記第１の復調路に対応した第１の復調素子の割当てを解除するステップを含んでいる請求項１記載の方法。
１５．復調路に割当てられた前記複数の復調素子の各復調素子は、成功的または不適切な復調の状態を示し、さらに前記特定の復調素子が不適切な復調を示した場合には、特定の復調素子の割当てを解除するステップを含んでいる請求項１記載の方法。
１６．前記受信機は１以上の探索素子を有し、利用可能な信号
を測定して
の電子的表示
　到着時間、信号強度および送信機インデクスを有する局部的極大データ点を前記１以上の探索素子から受信し、
　前記局部的極大データ点の前記信号強度が予め定められたレベルを越えた場合、前記局部的極大データ点を前記調査路のリストに付加するステップを含んでいる請求項１記載の方法。
１７．前記受信機は１以上の探索素子を有し、利用可能な信号
を測定して
の電子的表示
　それぞれ到着時間、信号強度および共通の送信機インデクスを有する１組の局部的極大データ点を前記１以上の探索素子から受信し、
　付加される前記定められた数の各局部的極大データ点の前記信号強度が予め定められたレベルを越えた場合、前記定められた数の前記局部的極大データ点を前記調査路のリストに付加するステップを含んでいる請求項１記載の方法。
１８．前記定められた数の各局部的極大データ点は、前記複数の復調素子の復調素子数に等しい請求項１７記載の方法。
１９．さらに前記復調路のリストを前記調査路のリストに整合する前記ステップは、
　前記調査路のリストのどの調査路にも整合しない復調路を発見し、
　前記整合しない復調路に対応した
エントリィを
２０．前記調査路のリスト中の各送信機インデクスは、前記復調路のリスト中の各週言機インデクスと同じであり、さらに割当てられていない復調素子が存在する場合には前記割当てられていない復調素子を第２の特定の調査路に割当てるステップを含んでいる請求項１記載の方法。
２１．前記割当てられていない復調素子を割当てる前記ステップにおいて、前記第２の特定の調査路は、前記復調路のリストの任意の復調路と同じ到着時間および送信機インデクスを有しない請求項２０記載の方法。
２２．前記第２の特定の調査路は、このような通路の最も強い信号強度を有している請求項２１記載の方法。
２３．さらに、特定の復調素子を再度割当てるステップを含み、このステップは、
　特定の復調路に割当てられた前記特定の復調素子の割当てを解除し、
　第２の特定の調査路に前記特定の復調素子を割当てるステップを含んでいる請求項１記載の方法。
２４．前記特定の復調路は、前記第２の特定の調査路と同じ送信機インデクスを有している請求項２３記載の方法。
２５．前記特定の復調路は、前記第２の特定の調査路の信号強度より弱い信号強度を有している請求項２４記載の方法。
２６．前記特定の復調路は、前記第２の特定の調査路の信号強度より少なくともある比率だけ弱い信号強度を有している請求項２４記載の方法。
２７．前記特定の復調路は、前記第２の特定の調査路の信号強度より３ｄＢ弱い信号強度を有している請求項２４記載の方法。
２８．前記特定の復調路は、前記復調路のリストの１以上の他のエントリィと同じ送信機インデクスを有する請求項２３記載の方法。
２９．前記特定の復調路は、前記特定の復調路と同じ送信機インデクスを有する復調路の最も弱い信号強度を有している請求項２３記載の方法。
３０．さらに
前記復調路リストを前記調査路リストに
３１．さらに
前記復調路リストを前記調査路リストに
３２．各送信機は、コード値のシーケンスからなる疑似雑音コードを使用して疑似雑音変調信号を送信し、前記到着時間は疑似雑音コードのコード値オフセットに対応する請求項１記載の方法。
３３．各送信機は、コード値のシーケンスからなる疑似雑音コードを使用して疑似雑音変調信号を送信し、前記到着時間は疑似雑音コードのコード値オフセットの近傍の時間ウインドウに対応している請求項１記載の方法。
３４．前記コード値のシーケンスの各コード値は期間を有し、前記時間ウインドウは前記期間の１／２である請求項３３記載の方法。
３５．各送信機は、コード値のシーケンスからなる共通の疑似雑音コードを使用して共通の疑似雑音変調信号を送信し、各送信機は前記送信機の他の全てのものと異なる時間オフセットで送信を行い、前記送信機インデクスは前記異なる時間オフセットに対応している請求項１記載の方法。
３６．前記利用可能な信号
の測定
３７．１組の受信機からなる受信機システムにおいて、１以上のソースからの１組の既存の信号に前記受信機を割当てる方法において、
　
探索素子を用いて、
するステップを含み
　
制御素子を用いて、
するステップと
　最大数の異なる対応したソース指標が前記受信機に現在割当てられている信号の前記リストに存在するように前記既存の信号に前記受信機を割当てるステップを含んでいる割当て方法。
３８．前記最大数の異なる対応したソース指標が前記受信機に現在割当てられている信号の前記リストに存在するように受信機を再度割当てるステップをさらに含み、
　特定の受信機の割当てを解除し、
　既存の信号の前記リストの前記既存の信号の１つに前記特定の受信機を割当てるステップを含んでいる請求項３７記載の方法。
３９．前記再度割当てるステップの発生率は、時間にわたって制限されている請求項
３８
４０．前記再度割当てるステップは、前記既存の信号の前記リストを生成する前記各ステップに対して予め定められた回数しか発生しない請求項
３８
４１．前記既存の信号の前記リストを生成する前記ステップは、時間にわたって組織的に反復される請求項３７記載の方法。
４２．信号を復調する装置において、
　前記信号の各インスタンスが到着時間、信号強度および送信機インデクスを有しており、１組の調査路を介して装置に到着した信号の第１の組のインスタンスを復調する１組の復調素子と、
　前記装置に到着した前記信号の第２の組のインスタンスと、各インスタンスに対する対応した到着時間、信号強度および送信機インデクス
からなる調査路のリスト
　前記信号の前記第１の組のインスタンスを前記信号の前記第２の組のインスタンスと整合し、また、割当てられていない復調素子が存在する場合には、前記
信号の前記第２の組のインスタンスからの前記信号の
前記
４３．前記信号の前記特定のインスタンスの前記信号強度は、前記信号の前記第１および第２の組のインスタンスからの前記信号の残りのインスタンスの信号強度のどれよりも大きい請求項
４２
４４．前記制御システムは、
　割当てられていない復調素子が存在しない場合、特定の復調素子
の割当てを解除し
　前記特定の復調素子を前記信号の前記特定のインスタンスに割当てる請求項
４３
４５．前記特定の復調素子は、前記信号の前記特定のインスタンスの前記信号強度より弱い信号強度を有する前記信号のインスタンスに対応している請求項
４４